【手続補正書】
【提出日】平成23年7月8日(2011.7.8)
【手続補正１】
【補正対象書類名】特許請求の範囲
【補正対象項目名】全文
【補正方法】変更
【補正の内容】
【特許請求の範囲】
【請求項１】
下記構造の透明なポリアミドエラストマー。
【化１】
2010534256.tif 000001
［式中、Ｒ1は、ポリアミドセグメントであり、
（ａ）１０〜１００ｍｏｌ％のアルキル置換されたビス（アミノシクロヘキシル）メタンおよび／またはビス（アミノシクロヘキシル）プロパンと、
０〜９０ｍｏｌ％の別の脂環式Ｃ６〜Ｃ３６ジアミンおよび／または脂肪族Ｃ２〜Ｃ３６ジアミンおよび／または芳香族Ｃ６〜Ｃ３６ジアミンと、
（この場合、濃度はポリアミドセグメント内のジアミンの総量に基づいている）
（ｂ）脂肪族Ｃ４〜Ｃ３６ジカルボン酸および／または脂環式Ｃ８〜Ｃ３６ジカルボン酸および／または芳香族Ｃ８〜Ｃ３６ジカルボン酸と
から構成され、
（ｃ）または上記（ａ）および（ｂ）と、ラクタムおよび／またはアミノカルボン酸Ｃ６〜Ｃ１２と
から構成されてもよく、
Ｒ2は、以下の２価残基の群：数平均モル質量が２００〜３０００ｇ／ｍｏｌの範囲内の直鎖または分枝状のＣ２〜Ｃ５ポリオキシアルキレン、ポリオレフィン、ポリシロキサン、直鎖または分枝状の置換または非置換のＣ２〜Ｃ３６アルキレン、Ｃ６〜Ｃ３６シクロアルキレン、Ｃ６〜Ｃ２０アリール、ポリカプロラクトン、脂肪族または脂環式のジカルボン酸およびジオールをベースとするポリエステル、脂肪族ポリカーボネート、ならびにこれらの要素のコポリマーおよび混合物から選択され、
Ｘ1およびＸ2は、互いに独立に、アミド（ＣＯＮＨ）結合またはエステル（ＣＯＯ）結合である］
【請求項２】
Ｒ1が４０〜９５質量％の範囲内であり、かつＲ2が５〜６０質量％の範囲内であり、その際、Ｒ1が５０〜８５質量％で、かつＲ2が１５〜５０質量％で存在する場合が好ましく、
また、好ましくはポリアミドセグメントＲ1は、少なくとも２０ｍｏｌ％、少なくとも３０ｍｏｌ％または少なくとも４０ｍｏｌ％が、アルキル置換されたビス（アミノシクロヘキシル）メタンに基づく、請求項１に記載のポリアミドエラストマー。
【請求項３】
ポリアミドセグメントＲ1が、完全に、アルキル置換されたビス（アミノシクロヘキシル）メタンに基づく、請求項１または２に記載のポリアミドエラストマー。
【請求項４】
アルキル置換されたビス（アミノシクロヘキシル）メタンが、ビス−（４−アミノ−３−メチルシクロヘキシル）−メタン（ＭＡＣＭ）である、請求項１から３までのいずれか１項に記載のポリアミドエラストマー。
【請求項５】
ポリアミドセグメントＲ1の数平均モル質量が、５００〜５０００ｇ／ｍｏｌの範囲内、好ましくは７００〜４０００ｇ／ｍｏｌの範囲内、特に好ましくは７５０〜３０００ｇ／ｍｏｌの範囲内である、請求項１から４までのいずれか１項に記載のポリアミドエラストマー。
【請求項６】
Ｘ1＝Ｘ2＝（ＣＯＯ）であり、かつ残基Ｒ2が、直鎖または分枝状の置換または非置換のＣ２〜Ｃ３６アルキレン、Ｃ６〜Ｃ３６シクロアルキレン、Ｃ６〜Ｃ２０アリール、ポリカプロラクトン、脂肪族または脂環式のジカルボン酸およびジオールをベースとするポリエステル、脂肪族ポリカーボネート、Ｃ２〜Ｃ４ポリオキシアルキレン、ならびにこれらの要素のコポリマーおよび混合物として定義され、または
Ｘ1＝Ｘ2＝（ＣＯＮＨ）であり、かつ残基Ｒ2が、数平均モル質量が２００〜３０００ｇ／ｍｏｌ（好ましくは３００〜２５００ｇ／ｍｏｌ）の範囲内のＣ２〜Ｃ４ポリオキシアルキレン、ポリオレフィン、ポリシロキサン、ならびにこれらの要素のコポリマーおよび混合物として定義される、請求項１から５までのいずれか１項に記載のポリアミドエラストマー。
【請求項７】
好ましくは要素Ｒ2を含むセグメントに起因する非晶質相を有しており、前記非晶質相のガラス転移温度が高くとも２０℃、好ましくは０℃未満、特に好ましくは−２０℃未満であることを特徴とする請求項１から６までのいずれか１項に記載のポリアミドエラストマー。
【請求項８】
透過率が少なくとも７０％、好ましくは少なくとも８０％、特に好ましくは８５％超であることを特徴とする請求項１から７までのいずれか１項に記載のポリアミドエラストマー。
【請求項９】
ヘイズが高くとも２０％、好ましくは高くとも１５％、特に好ましくは高くとも１０％であることを特徴とする請求項１から８までのいずれか１項に記載のポリアミドエラストマー。
【請求項１０】
ポリアミドセグメントＲ1および要素Ｒ2を含むセグメントが、統計学的に、交互にまたはブロックごとに配置されることを特徴とする請求項１から９までのいずれか１項に記載のポリアミドエラストマー。
【請求項１１】
ポリアミドセグメントＲ1が、微結晶のポリアミドハードセグメントまたはコポリアミドハードセグメントであり、前記セグメントが好ましくは、４〜４０Ｊ／ｇの範囲内、好ましくは４〜２５Ｊ／ｇの範囲内の融解エンタルピーを有し、かつ／または前記セグメントが好ましくは、少なくとも５０℃超、好ましくは８０℃超、および特に好ましくは１００℃超のガラス転移温度を有し、かつ／または前記セグメントが好ましくは、少なくとも１２０℃、好ましくは少なくとも１３５℃、特に少なくとも１５０℃の融点を有する、請求項１から１０までのいずれか１項に記載のポリアミドエラストマー。
【請求項１２】
Ｒ1が、１０〜３６個の炭素原子、好ましくは１２個の炭素原子を有する脂肪族ジカルボン酸と組み合わされた、ビス−（４−アミノ−３−メチルシクロヘキシル）−メタン（ＭＡＣＭ）から構成されており、またはビス−（４−アミノシクロヘキシル）−メタン（ＰＡＣＭ）をも含んでもよく、その際に好ましくは、追加的に存在する別の脂環式ジアミンが、置換されたまたはされないビス−（４−アミノシクロヘキシル）−メタン（ＰＡＣＭ）および／またはイソホロンジアミン（ＩＰＤ）であり、特に好ましくは、ビス−（４−アミノシクロヘキシル）−メタン（ＰＡＣＭ）の濃度が４０ｍｏｌ％超であり、特に好ましくは５５ｍｏｌ％超であることを特徴とする請求項１から１１までのいずれか１項に記載のポリアミドエラストマー。
【請求項１３】
ポリアミドセグメントＲ1が、非晶質のポリアミドハードセグメントまたはコポリアミドハードセグメントであり、前記セグメントが４Ｊ／ｇ未満の範囲内の融解エンタルピーを有し、かつ／または前記セグメントが少なくとも５０℃、好ましくは８０℃超、特に好ましくは１００℃超のガラス転移温度を有することを特徴とする請求項１から１０までのいずれか１項に記載のポリアミドエラストマー。
【請求項１４】
ポリアミドセグメントＲ1が、ビス−（４−アミノ−３−メチルシクロヘキシル）−メタン（ＭＡＣＭ）およびイソフタル酸および／またはテレフタル酸および／または脂肪族Ｃ４〜Ｃ３６、好ましくはＣ１２のジカルボン酸および／または脂環式Ｃ８〜Ｃ３６ジカルボン酸をベースとし、
好ましくは、ポリアミドセグメントＲ1が、ＭＡＣＭＩ、ＭＡＣＭＩ／ＭＡＣＭＴ、ＭＡＣＭＩ／ＭＡＣＭＴ／１２、ＭＡＣＭＩ／１２、ＭＡＣＭＴ／１２であり、その際、ラウロラクタムの含有率が好ましくは５０ｍｏｌ％未満、特に好ましくは３５ｍｏｌ％未満であることを特徴とする請求項１３に記載のポリアミドエラストマー。
【請求項１５】
ポリアミドセグメントＲ1が、１０〜１８個の炭素原子を有する芳香族ジカルボン酸および／または６〜３６個の炭素原子を有する脂肪族ジカルボン酸をベースとするポリアミドハードセグメント、またはそのようなホモポリアミドおよび／またはコポリアミドの混合物であり、その際、好ましくはポリアミドが以下の群：６Ｉ／ＭＡＣＭＩ／ＭＡＣＭＴ、６Ｉ／６Ｔ／ＭＡＣＭＩ、ＭＡＣＭＩ／ＭＡＣＭ３６、ＭＡＣＭ６〜１８、ＭＡＣＭ６〜１８／ＰＡＣＭ６〜１８、ラクタム含有ポリアミド、例えば１２／ＭＡＣＭＩ、１２／ＭＡＣＭＴ、１２／ＭＡＣＭ６〜１８、またはその混合物から選択され、
ポリアミドセグメントＲ1が、少なくとも１種のジカルボン酸およびアルキル置換されたビス（アミノシクロヘキシル）メタンおよび芳香族核を有するジアミンをベースとするコポリアミドハードセグメントであり、好ましくはＭＡＣＭおよびＭＸＤをベースとし、その際、ジカルボン酸は芳香族および／または脂肪族であることができ、好ましくはＭＡＣＭＩ／ＭＸＤＩ、ＭＡＣＭＩ／ＭＸＤ６、またはＭＡＣＭＩ／６Ｉ／ＭＸＤＩ、ＭＡＣＭＩ／６Ｉ／ＭＸＤ６であることを特徴とする請求項１から１４までのいずれか１項に記載のポリアミドエラストマー。
【請求項１６】
０．５質量％ｍ−クレゾール溶液として２０℃の温度で測定した溶液粘度（ηrel）が１．３〜３．０、特に好ましくは１．４〜２．５であり、および／または引張弾性率が１５００ＭＰａ未満、好ましくは１０００ＭＰａ未満、特に好ましくは５００ＭＰａ未満であることを特徴とする請求項１から１５までのいずれか１項に記載のポリアミドエラストマー。
【請求項１７】
ポリアミドセグメントＲ1および／またはＲ2のジカルボン酸が、以下の群：脂肪族Ｃ４〜Ｃ４４二酸、脂環式Ｃ８〜Ｃ３６二酸、芳香族二酸、望ましくはＴＰＳ、ＩＰＳ、ＮＤＳ、ならびにその混合物または組合せから選択され、前記ジカルボン酸が好ましくは以下の群：アジピン酸、セバシン酸、ドデカン二酸、テレフタル酸、イソフタル酸、シクロヘキサンジカルボン酸、およびその混合物、コハク酸、グルタル酸、アジピン酸、ピメリン酸、コルク酸、アゼライン酸、セバシン酸、ウンデカン二酸、ドデカン二酸、ブラシル酸、テトラデカン二酸、ペンタデカン二酸、ヘキサデカン二酸、ヘプタデカン二酸、オクタデカン二酸、ノナデカン二酸、エイコサン二酸、日本酸、シクロヘキサンジカルボン酸、３６または４４個の炭素原子を有するダイマー脂肪酸、イソフタル酸、テレフタル酸、ナフタリンジカルボン酸から選択され、
ポリアミドセグメントの別のジアミンが、以下の群：分枝または非分枝状の脂肪族Ｃ４〜Ｃ１８ジアミン、脂環式Ｃ８〜Ｃ２０ジアミン、芳香族核を有するジアミン、好ましくはＭＸＤＡ、ＰＸＤＡ、メチルペンタンジアミン、ヘキサンジアミン、トリメチルヘキサメチレンジアミン、メチルオクタンジアミン、ノナンジアミン、デカンジアミン、ドデカンジアミン、ＰＡＣＭ、ノルボルナンジアミン、１，３−ビス（アミノメチル）シクロヘキサン、ならびにその混合物または組合せから選択されることを特徴とする請求項１から１６までのいずれか１項に記載のポリアミドエラストマー。
【請求項１８】
成分（ｃ）が、以下の群：カプロラクタム、ラウロラクタム、アミノカプロン酸、アミノラウリン酸、アミノウンデカン酸、４個、６個、７個、８個、１１個、または１２個の炭素原子を有するα，ω−アミノ酸、例えばピロリジン−２−オン、ε−カプロラクタム、エナントラクタム、カプリルラクタム、ラウロラクタム、α、ω−アミノ酸、１，４−アミノブタン酸、１，６−アミノヘキサン酸、１，７−アミノヘプタン酸、１，８−アミノオクタン酸、１，１１−アミノウンデカン酸、および１，１２−アミノドデカン酸から選択されることを特徴とする請求項１から１７までのいずれか１項に記載のポリアミドエラストマー。
【請求項１９】
Ｒ2が以下の群：脂肪族Ｃ２〜Ｃ３６ジオール、脂環式Ｃ６〜Ｃ３６ジオール、芳香族核を有するＣ８〜Ｃ３６ジオール、エーテル基を含有するジオール、ポリカプロラクトンジオール、またはその組合せから選択され、特に好ましくは以下の群：エタンジオール、プロパンジオール、ブタンジオール、ヘキサンジオール、シクロヘキサンジメタノール、Ｃ３６ダイマー脂肪ジオール、特に２００〜２０００ｇ／ｍｏｌの範囲内のモル質量のＣ２〜Ｃ４ポリオキシアルキレンジオール、５００〜３０００ｇ／ｍｏｌ、特に好ましくは７５０〜２０００ｇ／ｍｏｌの範囲内のモル質量のポリカプロラクトンジオール、ならびにその組合せから選択されるジオールをベースとして提供され、
好ましくは、Ｒ2が以下の群：数平均モル質量が２００〜２５００ｇ／ｍｏｌの範囲内のポリオキシエチレンジアミン、ポリオキシエチレンジカルボン酸、ポリオキシプロピレンジアミン、ポリオキシプロピレンジカルボン酸、ポリオキシテトラメチレンジアミン、ポリオキシテトラメチレンジカルボン酸、これらのコポリマーまたは混合物、ならびにネオペンチルグリコールとのコポリマーから選択されるポリエーテルセグメントをベースとして提供されることを特徴とする請求項１から１８までのいずれか１項に記載のポリアミドエラストマー。
【請求項２０】
以下の群：ＭＡＣＭ１２、ＭＡＣＭ１８、ＭＡＣＭ１２／ＰＡＣＭ１２、ＭＡＣＭ１８／ＰＡＣＭ１８、６Ｔ単位、９Ｔ単位、１０Ｔ単位、および／または１２Ｔ単位を有するコポリアミド、あるいはその混合物および／または組合せから選択されるポリアミド系をベースとするポリエーテルアミド、ポリエステルアミド、またはポリエーテルエステルアミドである、又はＣ３６ジオールおよび／またはアジピン酸および／またはセバシン酸および／またはＣ３６ダイマー脂肪酸および／またはテレフタル酸から誘導されるポリエステル部分および／またはエステル部分を有するポリエーテルアミド、ポリエステルアミド、またはポリエーテルエステルアミドであることを特徴とする請求項１から１９までのいずれか１項に記載のポリアミドエラストマー。
【請求項２１】
追加的に色素および／または添加剤を含んでおり、前記色素が、ＵＶまたは短波ＶＩＳによって可逆的に励起可能なフォトクロミック色素であることができ、好ましくはスピロオキサジン（Ｓｐｉｒｏｏｘａａｚｉｎ）をベースとする色素であり、かつ／または前記添加剤が、安定剤、例えばＵＶ安定剤、熱安定剤、ラジカル捕捉剤、および／または加工助剤、軟化剤、さらなるポリマー、および／または好ましくは光学的な特性、特に屈折率に作用する官能性添加剤、またはその組合せもしくは混合物であることを特徴とする請求項１から２０までのいずれか１項に記載のポリアミドエラストマー。
【請求項２２】
請求項１から２１までのいずれか１項に記載のポリアミドエラストマーから形成される少なくとも１つの領域または１つの層を備えた、特にポリアミドエラストマーから形成される２ｍｍ厚の層の場合に、５００〜７００ｎｍの波長領域において７０％超、好ましくは８５％超の透過率を有し、かつ／または高くとも２０％、好ましくは高くとも１５％、特に好ましくは高くとも１０％のヘイズを有することを特徴とする厳密な仕様の光学的適用のための、透明な、好ましくは曇りのない物体。
【請求項２３】
フィルム、プロフィル、管、中空体、または光学的に可変のフィルタ、または光学レンズであり、好ましくは眼科用レンズであり、特に好ましくはスペクトルフィルタ作用を備えた要素、例えばメガネのレンズ、太陽レンズ、補正レンズ、または光学フィルタの形態をとるもの、または光学式信号処理用のスイッチングユニット、スキー用ゴーグル、バイザー、保護メガネ、光記録システム、ディスプレイ、光学式データメモリ、建築物または車両の窓の形態をとることができるもの、または装飾要素もしくは構造要素であることができるもの、例えばメガネフレーム、玩具、またはカバーの形態のもの、特に携帯電話のハウジング、電子機器の部品、コーティング、特にパッケージ、装飾品、運動機器、またはグラッディング、好ましくは自動車領域における化粧張りのコーティングの形態であることを特徴とする請求項２２に記載の物体。
【請求項２４】
請求項１から２１までのいずれか１項に記載のポリアミドエラストマーが、押出成形方法、射出成形方法、またはインモールドコーティング方法で物体へと成形されることを特徴とする請求項２２または２３に記載の物体の製造方法。
【請求項２５】
１段階式の方法では、ポリアミドを構成する成分を、エステル成分もしくはポリエステル成分および／またはポリエーテル成分と、個々の成分の末端基を好ましくは等モル比にして混合し、好ましくは１８０〜３００℃の範囲内の温度で所望の粘度が達成されるまで重縮合するか、
特に、とりわけポリアミド単位に関して狙い通りのブロックごとの構成にするために、または原料としてラクタムを使用する場合、２段階式の方法において、まず第１の段階で、好ましくは１８０〜３２０℃の温度および好ましくは０〜２０ｂａｒの圧力で、成分ａ）、成分ｂ）、および成分ｃ）から、カルボキシ末端基またはアミノ末端基を持つポリアミド単位を形成し、次いで前記ポリアミド単位を第２の段階でソフトセグメント単位と、大気圧またはより減圧下、特に真空下で、好ましくは１８０〜２８０℃の範囲内の温度で重縮合して、高分子量コポリマーにすることを特徴とする請求項１から２１までのいずれか１項に記載のポリアミドエラストマーの製造方法。